(57)【特許請求の範囲】
【請求項１】
表示部と、
前記表示部の画面に設けられたタッチパネルと、
前記表示部の画面にコンテンツを表示させ、前記タッチパネルに対して予め設定された規定方向のスクロール操作が行われると、前記表示部の画面上で前記コンテンツを前記規定方向にスクロール表示させる制御部と、を備え、
前記制御部は、前記タッチパネルに対して前記規定方向から外れた方向のスクロール操作が繰り返し行われた場合に、該スクロール操作の連続回数を計数し、当該連続回数が予め設定された一定回数に達したときに、前記表示部の画面上で前記コンテンツを、予め定められた量に限定して、当該規定方向にスクロール表示させる制御を行う表示装置。
【請求項２】
前記制御部は、前記表示部の画面上で前記コンテンツを前記予め定められた量だけ当該規定方向にスクロール表示させる制御を行ったときは、これに続いて前記コンテンツを前記予め定められた量だけ当該規定方向とは逆方向にスクロール表示させて、前記表示部の画面上の表示状態を前記予め定められた量だけ当該規定方向にスクロール表示させる前の状態に戻す制御を行う請求項１に記載の表示装置。
【請求項３】
前記予め定められた量は、ユーザーにより行われた前記スクロール操作によって示されるスクロール量よりも少ない予め定められた一定量とされ、前記制御部は、前記スクロール操作によって示されるスクロール量が前記予め定められた量よりも少ない場合は、前記予め定められた量でのスクロール表示を行わない請求項１に記載の表示装置。
【請求項４】
前記制御部は、前記規定方向のスクロール表示の終端に達した状態で、前記規定方向のスクロール操作が行われた場合に、前記コンテンツを前記規定方向とは逆向きの方向に予め定められた量だけスクロール表示させる請求項１に記載の表示装置。
【請求項５】
前記制御部は、前記タッチパネルに対するスクロール操作の方向が前記規定方向から外れたか否かを判定する請求項１に記載の表示装置。
【請求項６】
前記制御部は、前記タッチパネルに対するスクロール操作の開始位置を扇形中心とし、かつ、当該開始位置を通る前記規定方向の線を中心線としたときに、前記タッチパネルに対するスクロール操作の方向が、当該中心線の両側に広がる予め定められた扇形角度範囲に入っていると判断した場合に、前記タッチパネルに対するスクロール操作の方向が前記規定方向であると判定し、前記タッチパネルに対するスクロール操作の方向が予め定められた扇形角度範囲に入っていない場合に、前記タッチパネルに対するスクロール操作の方向が前記規定方向から外れていると判定する請求項５に記載の表示装置。
【請求項７】
前記制御部は、
前記タッチパネルに対して予め設定された互いに直交する第１規定方向又は第２規定方向のいずれかのスクロール操作が行われると、前記表示部の画面上で前記コンテンツを、前記スクロール操作により示されるスクロール量で、スクロール操作された前記第１規定方向又は前記第２規定方向にスクロール表示させ、
前記タッチパネルに対して前記第１規定方向又は前記第２規定方向から外れた方向のスクロール操作が繰り返し行われた場合に、該スクロール操作の連続回数を計数し、当該連続回数が予め設定された一定回数に達したときに、予め定められた量に限定して、前記表示部の画面上で前記コンテンツを、前記第１規定方向又は前記第２規定方向のいずれかにスクロール表示させ、
前記第１規定方向又は前記第２規定方向におけるスクロール表示の終端に達した状態で、前記第１規定方向又は前記第２規定方向のスクロール操作が行われた場合には、前記コンテンツを前記第１規定方向又は前記第２規定方向とは異なる予め定められた方向に予め定められた定量だけスクロール表示させる請求項１に記載の表示装置。
【請求項８】
表示部の画面にコンテンツを表示させ、前記表示部の画面に設けられたタッチパネルに対して予め設定された規定方向のスクロール操作が行われると、前記表示部の画面上で前記コンテンツを前記規定方向にスクロール表示させる制御部として、コンピューターを機能させ、
更に、前記制御部が、前記タッチパネルに対して前記規定方向から外れた方向のスクロール操作が繰り返し行われた場合に、該スクロール操作の連続回数を計数し、当該連続回数が予め設定された一定回数に達したときに、前記表示部の画面上で前記コンテンツを、予め定められた量に限定して、当該規定方向にスクロール表示させるように、前記コンピューターを機能させる表示制御プログラム。
【発明の詳細な説明】
【技術分野】
【０００１】
本発明は、表示装置及び表示制御プログラムに関し、特にコンテンツを表示部の画面にスクロール表示させるための技術に関する。
【背景技術】
【０００２】
スマートフォンなどの携帯端末装置（表示装置の一例）は、表示部の画面にタッチパネルを備え、表示部の画面に対するユーザー操作を、タッチパネルを通じて受け付けて、このユーザー操作に応答して動作する。ユーザー操作には、タッチ操作、スクロール操作（所謂フリック操作やスワイプ操作）、ドラッグ操作などがある。例えば、表示部の画面にコンテンツを表示させた状態で、タッチパネルに対してスクロール操作が行われると、表示部の画面上でコンテンツをスクロール表示させる。
【０００３】
ここで、特許文献１には、スクロールしたい方向へのスクロール操作を複数回行うと、スクロール表示を連続して行う技術が記載されている。この技術は、連続してスクロールされているときに新たなスクロール操作が検出された場合は、表示部の画面上でのスクロール表示の方向と、新たなスクロール操作の方向とに基づいて表示部の画面上でのスクロール速度を変更する。
【先行技術文献】
【特許文献】
【０００４】
【特許文献１】特開２０１３−００３７１８号公報
【発明の概要】
【０００５】
ここで、表示部の画面におけるスクロール表示の方向としては、縦方向や横方向などがあるが、携帯端末装置のように表示部の画面が小さい場合は、そのスクロール表示の方向を矢印又はスクロールバーなどで常時表示すると、画面の自由に使える表示領域が狭くなったり、画面の表示が煩雑になったりするため、当該矢印又はスクロールバーの表示は省略されることがある。
【０００６】
この省略により、ユーザーがスクロール操作の方向を分かっていないと、その方向から外れた方向に誤ってスクロール操作されることがあるが、この外れた方向のスクロール操作に対してはスクロール表示がなされることがなく、ユーザーはなぜスクロール表示が行われないのかを理解できない場合がある。
【０００７】
特許文献１の技術は、そのような誤ったスクロール操作に対応するものではなく、スクロール操作を誤ったときにユーザーを支援することもできない。
【０００８】
本発明は、上記の事情に鑑みなされたものであり、ユーザーによりスクロール操作がスクロール表示の方向から外れた方向に行われたときに、ユーザーに対してスクロール表示の方向を示唆することを目的とする。
【課題を解決するための手段】
【０００９】
本発明の一局面にかかる表示装置は、表示部と、前記表示部の画面に設けられたタッチパネルと、前記表示部の画面にコンテンツを表示させ、前記タッチパネルに対して予め設定された規定方向のスクロール操作が行われると、前記表示部の画面上で前記コンテンツを前記規定方向にスクロール表示させる制御部と、を備え、前記制御部は、前記タッチパネルに対して前記規定方向から外れた方向のスクロール操作が繰り返し行われた場合に、該スクロール操作の連続回数を計数し、当該連続回数が予め設定された一定回数に達したときに、前記表示部の画面上で前記コンテンツを、予め定められた量に限定して、当該規定方向にスクロール表示させる制御を行うものである。
【００１０】
また、本発明の別の一局面にかかる表示制御プログラムは、表示部の画面にコンテンツを表示させ、前記表示部の画面に設けられたタッチパネルに対して予め設定された規定方向のスクロール操作が行われると、前記表示部の画面上で前記コンテンツを前記規定方向にスクロール表示させる制御部として、コンピューターを機能させ、更に、前記制御部が、前記タッチパネルに対して前記規定方向から外れた方向のスクロール操作が繰り返し行われた場合に、該スクロール操作の連続回数を計数し、当該連続回数が予め設定された一定回数に達したときに、前記表示部の画面上で前記コンテンツを、予め定められた量に限定して、当該規定方向にスクロール表示させるように、前記コンピューターを機能させるものである。
【発明の効果】
【００１１】
本発明によれば、スクロール操作がスクロール表示の方向から外れた方向に行われたときに、ユーザーに対して本来のスクロール表示の方向を示唆することができる。
【図面の簡単な説明】
【００１２】
【図１】本発明の一実施形態にかかる表示装置の外観を示す図である。
【図２】本実施形態の表示装置の内部構成を示すブロック図である。
【図３】表示部の画面上でコンテンツをスクロール表示させるための処理手順を示すフローチャートである。
【図４Ａ】表示部の画面における左右横方向にスクロール表示されるコンテンツの状態を示す図である。
【図４Ｂ】表示部の画面における左右横方向にスクロール表示されるコンテンツの状態を示す図である。
【図４Ｃ】表示部の画面における左右横方向にスクロール表示されるコンテンツの状態を示す図である。
【図４Ｄ】表示部の画面における左右横方向にスクロール表示されるコンテンツの状態を示す図である。
【図４Ｅ】表示部の画面における左右横方向にスクロール表示されるコンテンツの状態を示す図である。
【図５】表示部の画面における左右横方向のスクロール操作の範囲を示す図である。
【図６Ａ】表示部の画面における上下縦方向にスクロール表示されるコンテンツの状態を示す図である。
【図６Ｂ】表示部の画面における上下縦方向にスクロール表示されるコンテンツの状態を示す図である。
【図６Ｃ】表示部の画面における上下縦方向にスクロール表示されるコンテンツの状態を示す図である。
【図６Ｄ】表示部の画面における上下縦方向にスクロール表示されるコンテンツの状態を示す図である。
【図６Ｅ】表示部の画面における上下縦方向にスクロール表示されるコンテンツの状態を示す図である。
【図７】表示部の画面における上下縦方向のスクロール操作の範囲を示す図である。
【図８】表示部の画面における左右横方向及び上下縦方向にスクロール表示されるコンテンツを示す図である。
【図９】表示部の画面における左右横方向及び上下縦方向のスクロール操作の範囲を示す図である。
【図１０】表示部の画面上でコンテンツが左横方向の終端位置及び上縦方向の終端位置までスクロール表示されている状態を示す図である。
【発明を実施するための形態】
【００１３】
以下、本発明の実施形態にかかる表示装置について図面を参照して詳細に説明する。
【００１４】
図１は、本発明の表示装置の一実施形態の外観を示す図である。図２は、本実施形態の表示装置の内部構成を示すブロック図である。
【００１５】
本実施形態の表示装置１０は、例えば、スマートフォンなどの携帯端末装置であって、表示部１２と、タッチパネル１３と、通信部１４と、記憶部１５と、制御ユニット１１とを備えている。これらの構成要素は、互いにバスを通じてデータ又は信号の送受信が可能とされている。
【００１６】
表示部１２は、液晶ディスプレイ（ＬＣＤ：Liquid Crystal Display）や有機ＥＬ（ＯＬＥＤ：Organic Light-Emitting Diode）などから構成される。
【００１７】
タッチパネル１３は、所謂抵抗膜方式や静電容量方式等のタッチパネルである。タッチパネル１３は、表示部１２の画面に配置され、表示部１２の画面に対する指などの接触をその接触位置と共に検知する。タッチパネル１３は、指などの接触を検知すると、その接触位置の座標を示す検知信号を制御ユニット１１の制御部２１などに出力する。従って、タッチパネル１３は、表示部１２の画面に対するユーザー操作が入力される操作部としての役割を果たす。
【００１８】
また、表示装置１０は、ユーザー操作が入力される操作部として、上記のタッチパネル１３に加えてハードキーを備えてもよい。
【００１９】
通信部１４は、不図示のＬＡＮチップなどの通信モジュールを備える通信インターフェイスである。
【００２０】
記憶部１５は、大容量のＳＳＤ（Solid State Drive）、ＨＤＤ（Hard Disk Drive）などからなり、各種のデータやプログラムを記憶している。
【００２１】
制御ユニット１１は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。この制御ユニット１１は、上記のＲＯＭ又は記憶部１５に記憶された制御プログラムが上記プロセッサーで実行されることにより、制御部２１として機能する。なお、制御部２１は、前述の制御プログラムに基づく動作によらず、ハード回路により構成されてもよい。
【００２２】
制御部２１は、表示装置１０の全体的な動作制御を司る。また、制御ユニット１１は、表示部１２、タッチパネル１３、通信部１４、および記憶部１５などと接続されている。制御部２１は、これら各部の動作制御や、各部との間での信号またはデータの送受信を行う。
【００２３】
制御部２１は、種々の処理を実行する処理部としての役割を果たす。制御部２１は、通信部１４の通信動作を制御する機能を有する。また、制御部２１は、表示部１２の表示動作を制御する機能を有する。
【００２４】
また、制御部２１は、タッチパネル１３から出力される検知信号に基づき、ユーザーにより入力されたユーザー操作を特定する。そして、制御部２１は、特定したユーザー操作を受け付けて、このユーザー操作に応答動作する。
【００２５】
上記ユーザー操作には、タッチ操作、スクロール操作（所謂フリック操作やスワイプ操作）、ドラッグ操作などがある。例えば、ユーザーがタッチパネル１３に指を接触させて直ちに離すと、タッチパネル１３は、接触を検知した位置を示す検知信号を制御部２１に出力する。制御部２１は、当該検知信号を入力すると、この検知信号に基づきユーザー操作がタッチ操作であることを判定し、このタッチ操作を受け付ける。このタッチ操作は、例えば表示部１２の画面に制御部２１が表示させるソフトキーに対して行われる。
【００２６】
また、ユーザーが指をタッチパネル１３に接触させた状態で移動させると、タッチパネル１３は、最初に接触を検出した初期位置から最後に接触を検出した最終位置までの各移動位置を示す検知信号を制御部２１に出力する。制御部２１は、該検知信号を入力すると、この検知信号に基づきユーザー操作がスワイプ操作であること、及びスワイプ操作の操作方向を判定し、このスワイプ操作を受け付ける。制御部２１は、このスワイプ操作に応じて表示部１２の画面に表示されているテキストや画像などのコンテンツをスクロール表示させる。
【００２７】
また、ユーザーがタッチパネル１３に指を接触させると同時にすばやく移動させて、タッチパネル１３から指を離すと、つまり指によりタッチパネル１３をはじくような操作を行うと、タッチパネル１３は、最初に接触を検出した初期位置から最後に接触を検出した最終位置までの各移動位置を示す検知信号を制御部２１に出力する。制御部２１は、該検知信号を入力すると、この検知信号に基づき短時間での素早い接触位置の変化を検出して、ユーザー操作がフリック操作であること、及びフリック操作の操作方向を判定し、このフリック操作を受け付ける。制御部２１は、このフリック操作に応じて表示部１２の画面に表示されているテキストや画像などのコンテンツをスクロール表示させる。例えば、制御部２１は、当該スクロール表示を行うとき、表示部１２の画面上でのコンテンツの移動速度が、スクロール表示の開始時点で最も早く、開始時点からの時間の経過と共に徐々に遅くされて最後に「０」となるように表示制御する。
【００２８】
ここで、表示部１２の画面におけるスクロール表示の方向（つまり、予め設定された規定方向）としては、縦方向（予め定められた一方向。例えば、図１におけるｙ方向）及び横方向（上記一方向に直交する方向。例えば、図１におけるｘ方向）などがあるが、携帯端末装置である表示装置１０の表示部１２の画面が小さいため、そのスクロール表示の方向を矢印又はスクロールバーなどで常時表示すると、画面の自由に使える表示領域が狭くなったり、画面の表示が煩雑になったりする。
【００２９】
このため、ユーザーがスクロール表示の方向が分からず、スクロール表示方向とは異なる方向（スクロール表示方向から外れた方向）に誤ってスクロール操作することがある。この外れた方向のスクロール操作に対してはスクロール表示がなされないため、ユーザーは、なぜスクロール表示が行われないのかを理解できない場合がある。
【００３０】
そこで、本実施形態では、制御部２１が、タッチパネル１３に対するスクロール操作（上記フリック操作やスワイプ操作）の方向がスクロール表示の方向から外れたか否かを判定する。制御部２１は、スクロール操作の方向がスクロール表示の方向から外れた場合に、表示部１２の画面に表示されているコンテンツを予め定められた量だけスクロール表示の方向にスクロール表示させる。このため、ユーザーが、その外れた方向のスクロール操作を行った場合であっても、上記予め定められた量のスクロール表示及びその方向を見て、正しいスクロール操作の方向（当該スクロール表示の方向と同じ方向）を察知することができる。
【００３１】
次に、本実施形態の表示装置１０において、表示部１２の画面上でコンテンツをスクロール表示させるための処理手順を、図３に示すフローチャートなどを参照して説明する。
【００３２】
例えば、制御部２１が、図４Ａに示すように表示部１２の画面にコンテンツＣを表示させている状態で、該画面上でのコンテンツＣのスクロール表示の方向が左右横方向（予め定められた方向。例えば図４Ａに示すｘ方向）のみであるとする。
【００３３】
制御部２１は、タッチパネル１３に対するユーザー操作を待機しており（Ｓ１０１「Ｎｏ」）、タッチパネル１３からの検出信号に基づいてタッチパネル１３に対するユーザー操作が行われたと判断したとき（Ｓ１０１「Ｙｅｓ」）、更に、ユーザー操作がスクロール操作（フリック操作）であるか否かを判定する（Ｓ１０２）。制御部２１は、ユーザー操作がスクロール操作でないと判定すると（Ｓ１０２「Ｎｏ」）、スクロール操作とは異なる当該ユーザー操作に対応づけられた応答処理を実行する（Ｓ１０３）。例えば、ユーザー操作がアイコン（コンテンツの一例）に対するタッチ操作である場合、制御部２１は、アイコンに対するタッチ操作を判定して、アイコンに対応する処理を実行する。この後、Ｓ１０１の処理に戻る。
【００３４】
また、制御部２１は、ユーザー操作がスクロール操作であると判定すると（Ｓ１０２「Ｙｅｓ」）、このスクロール操作の方向が上記左右横方向であるか否かを判定する（Ｓ１０４）。例えば、図５に示すように、該スクロール操作の開始位置Ｑを扇形中心としかつ該開始位置Ｑを通る横方向の線を中心線Ｈとしたときに、スクロール操作の方向が、当該中心線Ｈの両側に広がる予め定められた扇形角度範囲αに入っていると判断した場合に、制御部２１は、スクロール操作の方向が左右横方向であると判定する。また、制御部２１は、スクロール操作の方向が予め定められた扇形角度範囲αに入っていない場合に、スクロール操作の方向が左右横方向でない、すなわち、スクロール操作の方向がスクロール表示の方向から外れている、と判定する。
【００３５】
そして、制御部２１は、スクロール操作の方向が左右横方向であると判定すると（Ｓ１０４「Ｙｅｓ」）、スクロール操作の方向が左横方向（例えば図４Ｂにおける＋ｘ方向）及び右横方向（例えば図４Ｃにおける−ｘ方向）のいずれであるかを判定する（Ｓ１０５）。例えば、制御部２１は、スクロール操作の方向が左横方向であると判定すると（Ｓ１０５「左」）、記憶部１５に予め記憶されているコンテンツＣの画像データに基づき、図４Ｂに示すように表示部１２の画面上でコンテンツＣをその指示された左横方向に、前記スクロール操作により示されるスクロール量で、スクロール表示させる（Ｓ１０６）。
【００３６】
また、制御部２１は、スクロール操作の方向が右横方向であると判定すると（Ｓ１０５「右」）、記憶部１５に予め記憶されているコンテンツＣの画像データに基づき、図４Ｃに示すように表示部１２の画面上でコンテンツＣをその指示された右横方向に、前記スクロール操作により示されるスクロール量で、スクロール表示させる（Ｓ１０７）。Ｓ１０６及びＳ１０７の後、処理はＳ１０１に戻る。
【００３７】
また、制御部２１は、スクロール操作の方向が予め定められた扇形角度範囲αに入っておらず、よってスクロール操作の方向が左右横方向でないと判定した場合は（Ｓ１０４「Ｎｏ」）、左横方向又は右横方向であって予め定められた微小距離Ｒのスクロール表示を実行する（Ｓ１０９）。
【００３８】
例えば、微小距離Ｒは、上記スクロール操作によって示されるスクロール量よりも少ない予め定められた一定量とされる。例えば、制御部２１は、上記スクロール操作によって示されるスクロール量が微小距離Ｒよりも少ない場合は、上記微小距離Ｒのスクロール表示を行わないようにしてもよい。以下、微小距離Ｒという場合において全て同様である。
【００３９】
例えば、制御部２１は、記憶部１５に予め記憶されているコンテンツＣの画像データに基づき、図４Ｄ又は図４Ｅに示すように、表示部１２の画面上でコンテンツＣを左横方向又は右横方向にかつ予め定められた微小距離Ｒだけスクロール表示させる（Ｓ１０９）。すなわち、制御部２１は、スクロール操作の方向が左右横方向でないと判定した場合に（Ｓ１０４「Ｎｏ」）、表示部１２の画面上でコンテンツＣを、左横方向又は右横方向のうち、予め定めておいたいずれかの方向に、微小距離Ｒに限定してスクロール表示させる（Ｓ１０９）。この後、処理はＳ１０１に戻る。
【００４０】
このとき、ユーザーは、左右横方向から外れる方向（例えば上下方向のように、左右横方向とは異なる方向）にスクロール操作を行ったにもかかわらず、表示部１２の画面上で左横方向又は右横方向に微小距離ＲだけコンテンツＣがスクロール表示されるため、当該スクロール表示を視認することにより、自分が行ったスクロール操作の方向が誤っていて、スクロール表示される方向及び正しいスクロール操作の方向は、左右横方向が正しいことを察知することが可能になる。
【００４１】
この後、制御部２１により、ユーザーが左右横方向のスクロール操作が行われたと判断され（Ｓ１０１「Ｙｅｓ」）、ユーザーによるスクロール操作の方向が左右横方向であると判定され（Ｓ１０２「Ｙｅｓ」，Ｓ１０４「Ｙｅｓ」）、更にスクロール操作の方向が左横方向であると判定されると（Ｓ１０５「左」）、左方向のスクロール表示が行われる（Ｓ１０６）。また、制御部２１により、スクロール操作の方向が右横方向であると判定されると（Ｓ１０５「右」）、左方向のスクロール表示が行われる（Ｓ１０７）。
【００４２】
このように本実施形態では、タッチパネル１３に対するスクロール操作の方向がスクロール表示の方向から外れた場合に、表示部１２の画面に表示されているコンテンツＣを、本来のスクロール表示の方向に上記微小距離Ｒだけスクロール表示させるため、ユーザーは、コンテンツＣのスクロール表示の方向を視認して、本来のスクロール表示の方向及び正しいスクロール操作の方向を察知することが可能になる。すなわち、本実施形態によれば、スクロール操作がスクロール表示の方向から外れた方向に行われたときに、ユーザーに対して本来のスクロール表示の方向を示唆することができる。また、この場合における本来の方向へのスクロール表示は、微小距離Ｒのスクロール表示であるため、画面の表示内容が大幅に変化することがない。
【００４３】
＜変形例１＞
変形例１では、制御部２１は、スクロール表示の方向から外れたスクロール操作が複数回繰り返し行われたときに、表示部１２の画面に表示されているコンテンツを予め定められた量だけスクロール表示の方向にスクロール表示させる。
【００４４】
制御部２１は、タッチパネル１３に対するスクロール操作を逐次判定して、該スクロール操作の方向が上記のように左右横方向（正しいスクロール操作方向）でないと判定する度に、当該左右横方向でない方向（誤ったスクロール操作方向）へのスクロール操作の連続回数を計数する。そして、制御部２１は、誤った方向のスクロール操作の連続回数が１回行われただけでは、上述した、表示部１２の画面上でコンテンツＣを左横方向又は右横方向に微小距離Ｒだけスクロール表示させる制御を行わず、予め設定された一定回数（例えば、３回）に達した場合に、当該微小距離Ｒだけスクロール表示させる制御を行う。
【００４５】
＜変形例２＞
変形例２では、図６Ａに示すように表示部１２の画面上でのコンテンツＣのスクロール表示の方向が上下縦方向（ｙ方向）のみである。
【００４６】
ユーザーが上縦方向（例えば図６Ｂに示す＋ｙ方向）又は下縦方向（例えば図６Ｃに示す−ｙ方向）のスクロール操作をタッチパネル１３に対して行ったものとする。このとき、図７に示すように、スクロール操作の方向が該スクロール操作の開始位置Ｑを扇形中心とし、かつ該開始位置Ｑを通る縦方向の中心線Ｖの両側に広がる予め定められた扇形角度範囲βに入ると制御部２１が判断した場合、制御部２１は、スクロール操作の方向が上縦方向又は下縦方向であると判定して、判定した上縦方向又は下縦方向へのスクロール表示を行う。例えば、制御部２１は、図６Ｂ又は図６Ｃに示すように、表示部１２の画面上でコンテンツＣを上記判定された方向にスクロール表示させる。
【００４７】
また、例えば、ユーザーが上縦方向又は下縦方向から外れた方向のスクロール操作をタッチパネル１３に対して行ったものとする。このとき、制御部２１は、スクロール操作の方向が所定の扇形角度範囲βに入らないと判断し、スクロール操作の方向が上下縦方向でないと判定する。この場合、制御部２１は、上縦方向又は下縦方向のいずれかであって予め定められた方向に、予め定められた微小距離Ｒだけスクロール表示を行う。例えば、制御部２１は、図６Ｄ、図６Ｅに示すように、表示部１２の画面上でコンテンツＣを上縦方向又は下縦方向に微小距離Ｒだけスクロール表示させる。これにより、ユーザーは、当該微小距離Ｒ分のスクロール表示を視認することによって、自分が行ったスクロール操作の方向が誤っていて、上下縦方向（ｙ方向）が正しいスクロール表示方向及びスクロール操作方向であることを察知することが可能になる。
【００４８】
＜変形例３＞
変形例３では、図８に示すように表示部１２の画面上でのコンテンツＣのスクロール表示の方向が左右横方向及び上下縦方向であることを前提とする。なお、左右横方向及び上下縦方向のうちの一方の方向が第１規定方向であり、その他方の方向が第２規定方向に対応する。
【００４９】
ユーザーは、左右横方向又は上下縦方向のスクロール操作をタッチパネル１３に対して行うものとする。制御部２１は、図９に示すように、スクロール操作の方向が予め定められた扇形角度範囲αに入ると判断した場合は、スクロール操作の方向が左右横方向であると判定して、表示部１２の画面上のコンテンツＣを当該スクロール操作の方向（左横方向又は右横方向）にスクロール表示させる。また、制御部２１は、図９に示すように、スクロール操作の方向が予め定められた扇形角度範囲βに入ると判断した場合は、スクロール操作の方向が上下縦方向であると判定して、制御部２１により表示部１２の画面上のコンテンツＣを当該スクロール操作の方向（上縦方向又は下縦方向）にスクロール表示させる。
【００５０】
更に、制御部２１は、スクロール操作の方向が各扇形角度範囲α、βのいずれにも入らないと判断した場合には、スクロール操作の方向が扇形角度範囲αに隣接する範囲Ａ、又は扇形角度範囲βに隣接する範囲Ｂのいずれに入るかを判定する。そして、制御部２１は、スクロール操作の方向が扇形角度範囲αに隣接する範囲Ａに入ると判定すると、制御部２１により表示部１２の画面上のコンテンツＣを左横方向又は右横方向にかつ予め定められた微小距離Ｒだけスクロール表示させる。また、制御部２１は、スクロール操作の方向が扇形角度範囲βに隣接する範囲Ｂに入ると判定すると、制御部２１により表示部１２の画面上のコンテンツＣを上縦方向又は下縦方向にかつ予め定められた微小距離Ｒだけスクロール表示させる。これにより、ユーザーが左右横方向または上下縦方向のいずれの方向に誤ったスクロール表示を行ったとしても、ユーザーに対して本来のスクロール表示方向と正しいスクロール操作を察知させることが可能になる。
【００５１】
また、図１０に示すように表示部１２の画面上でコンテンツＣが右横方向のスクロール表示の終端位置及び下縦方向のスクロール表示の終端位置に達している状態で、更にユーザーが右横方向又は下縦方向のスクロール操作をタッチパネル１３に対して行ったと制御部２１が判断したものとする。この場合、制御部２１は、コンテンツＣをそれらの終端位置を超えてスクロール表示することができないと判定し、制御部２１により表示部１２の画面上のコンテンツＣを、スクロール操作された右横方向又は下縦方向とは異なる予め定められた方向（例えば、左斜め上方向。スクロール表示させることが可能な両方の方向の成分を含む方向）である＋Ｊ方向に、予め定められた微小距離Ｒだけスクロール表示させるようにする。
【００５２】
また、表示部１２の画面上でコンテンツＣが左横方向のスクロール表示の終端位置及び下縦方向のスクロール表示の終端位置に達している状態で、更にユーザーが左横方向又は下縦方向のスクロール操作をタッチパネル１３に対して行ったと制御部２１が判断したものとする。この場合、制御部２１は、コンテンツＣをそれらの終端位置を超えてスクロール表示することができないと判定し、表示部１２の画面上のコンテンツＣを、スクロール操作された左横方向又は下縦方向とは異なる予め定められた方向（例えば、右斜め上方向。スクロール表示させることが可能な両方の方向の成分を含む方向）である−Ｊ方向に、予め定められた微小距離Ｒだけスクロール表示させるようにする。
【００５３】
同様に、表示部１２の画面上でコンテンツＣが右横方向のスクロール表示の終端位置及び上縦方向のスクロール表示の終端位置に達している状態で、あるいはコンテンツＣが左横方向のスクロール表示の終端位置及び上縦方向のスクロール表示の終端位置に達している状態で、それらの終端位置を超える方向へのスクロール操作が行われたと制御部２１が判断したものとする。この場合、制御部２１は、コンテンツＣがそれらの終端位置を超える方向とは逆方向（左斜め下方向又は右斜め下方向）に微小距離Ｒだけスクロール表示を行わせる。
【００５４】
また、表示部１２の画面上でコンテンツＣが右方向のスクロール表示の終端位置又は左横方向のスクロール表示の終端位置に達している状態で、それらの終端位置を超える方向のスクロール操作が行われた場合には、コンテンツＣを左横方向又は右横方向に微小距離Ｒだけスクロール表示させてもよい。
【００５５】
同様に、表示部１２の画面上でコンテンツＣが下縦方向のスクロール表示の終端位置又は上縦方向のスクロール表示の終端位置に達している状態で、それらの終端位置を超える方向のスクロール操作が行われた場合には、コンテンツＣを上縦方向又は下縦方向に微小距離Ｒだけスクロール表示させてもよい。
【００５６】
ユーザーは、そのような微小距離Ｒのスクロール表示によりスクロール表示の終端位置に達していることを察知することができる。
【００５７】
また、上記実施形態及び変形例では、制御部２１は、表示部１２の画面上でコンテンツＣを微小距離Ｒだけスクロール表示させているが（すなわち、スクロール表示させた後の表示状態を維持する）、コンテンツＣを微小距離Ｒだけスクロール表示させた後、該コンテンツＣを、当該スクロール表示がされる前に表示していた元の位置まで逆方向にスクロール表示させて戻すようにしてもよい。
【００５８】
尚、上記実施形態で説明した表示装置１０による表示方法は、上記のＲＯＭ又は記憶部１５に記憶された制御プログラムとして提供することができる。この制御プログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該制御プログラムを記録したコンピューターにより読み取り可能な非一時的な記録媒体が、本発明の一実施形態となる。
【００５９】
また、上記実施形態では、図１乃至図１０を用いて上記実施形態により示した構成及び処理は、本発明の一実施形態に過ぎず、本発明を当該構成及び処理に限定する趣旨ではない。
【図１】
0006923080.tif 000002
【図２】
0006923080.tif 000003
【図３】
0006923080.tif 000004
【図４Ａ】
0006923080.tif 000005
【図４Ｂ】
0006923080.tif 000006
【図４Ｃ】
0006923080.tif 000007
【図４Ｄ】
0006923080.tif 000008
【図４Ｅ】
0006923080.tif 000009
【図５】
0006923080.tif 000010
【図６Ａ】
0006923080.tif 000011
【図６Ｂ】
0006923080.tif 000012
【図６Ｃ】
0006923080.tif 000013
【図６Ｄ】
0006923080.tif 000014
【図６Ｅ】
0006923080.tif 000015
【図７】
0006923080.tif 000016
【図８】
0006923080.tif 000017
【図９】
0006923080.tif 000018
【図１０】
0006923080.tif 000019